(57)【要約】【課題】紙葉類の幅に応じた確実な反転を可能にする表裏反転装置を提供する。【解決手段】表裏反転装置１においては、紙葉類Ｒの前進時において、反転通路Ｓ内の紙葉類Ｒは、その幅に応じた送り量をもって前進し続けるが、様々な幅や様々な材質の紙葉類Ｒに対応させるため、本発明では、回動自在な叩きローラ５０が採用される。この叩きローラ５０は、反転通路Ｓ内で紙葉類Ｒの繰り出し時における下流側に配置されると共に、反転ローラ２１，２２で挟まれた状態の紙葉類Ｒの端部を繰り出し時に叩くものである。よって、このような叩きローラ５０で紙葉類Ｒの端部が叩かれると、紙葉類Ｒの端部を、反転通路Ｓにおけるガイド板４の壁面に寄せて、反転通路Ｓ内でジャムや二つ折れが発生し難くしている。従って、このような叩きローラ５０の採用は、紙葉類Ｒの幅に応じた適切な反転に寄与する。【選択図】  図１
2004269156.tif 000002
【特許請求の範囲】
【請求項１】
主搬送経路上を流動する紙葉類の表裏を反転させるための表裏反転装置において、
前記主搬送経路の途中で、前記紙葉類の全体を前記主搬送経路外に排出させる繰り出し手段と、
前記主搬送経路外に一旦排出させた前記紙葉類を前記主搬送経路内に再度引き込む繰り入れ手段と、
前記繰り出し手段から繰り出された前記紙葉類を案内するガイド板を有する反転通路と、
前記反転通路内に臨むと共に、協働して前記紙葉類を挟み込む正逆転可能な第１及び第２の反転ローラと、
前記反転通路内で前記紙葉類の繰り出し時における下流側に配置されると共に、前記反転ローラで挟まれた状態の前記紙葉類の端部を繰り出し時に叩く回転自在な叩きローラとを備えたことを特徴とする表裏反転装置。
【請求項２】
前記反転通路を形成する前記ガイド板と前記叩きローラとの間には、前記反転通路内の前記紙葉類の端部が挿通する逃がし隙間が設けられていることを特徴とする表裏反転装置。
【請求項３】
前記叩きローラは、放射状に配列した複数の叩き部を有することを特徴とする請求項１又は２記載の表裏反転装置。
【発明の詳細な説明】
【０００１】
【発明の属する技術分野】
本発明は、紙葉類（紙幣、有価証券又はカード等）の表面と裏面とを反転させるために利用する表裏反転装置に関するものである。
【０００２】
【従来の技術】
従来、このような分野の技術として、特開平９−３０７０６号公報がある。この公報に記載された表裏反転装置は、表裏鑑別がなされた紙葉類が搬送されてくる共通搬送路と、この共通搬送路を搬送された紙葉類が送り込まれる反転プール部と、この反転プール部の終点に開閉自在に設けられるストッパと、共通搬送路と反転プール部との分岐点から延在する反転搬送路とを備え、非反転紙葉類の搬送時には、前述の反転プール部を非反転搬送路の一部として使用するものである。
【０００３】
【特許文献１】
特開平９−３０７０６号公報
【０００４】
【発明が解決しようとする課題】
しかしながら、幅の狭い紙葉類の反転処理を行う場合、紙葉類の端部がストッパに当たらず、反転プール部内でジャムが発生する虞がある。さらに、幅の広い紙葉類の反転処理を行う場合、紙葉類の端部がストッパに当たっても、反転プール部内での送りが継続しているような状態下では、反転プール内でジャムや二つ折れが発生する虞がある。よって、前述した従来の表裏反転装置は、同一金種の紙幣や規格化された有価証券類などのように、搬送方向において同一幅に形成した紙葉類しか連続的に反転させることができないといった問題点があった。
【０００５】
本発明は、上述の課題を解決するためになされたもので、特に、紙葉類の幅に応じた確実な反転を可能にする表裏反転装置を提供することを目的とする。
【０００６】
【課題を解決するための手段】
本発明に係る表裏反転装置は、主搬送経路上を流動する紙葉類の表裏を反転させるための表裏反転装置において、主搬送経路の途中で、紙葉類の全体を主搬送経路外に排出させる繰り出し手段と、主搬送経路外に一旦排出させた紙葉類を主搬送経路内に再度引き込む繰り入れ手段と、繰り出し手段から繰り出された紙葉類を案内するガイド板を有する反転通路と、反転通路内に臨むと共に、協働して紙葉類を挟み込む正逆転可能な第１及び第２の反転ローラと、反転通路内で紙葉類の繰り出し時における下流側に配置されると共に、反転ローラで挟まれた状態の紙葉類の端部を繰り出し時に叩く回転自在な叩きローラとを備えたことを特徴とする。
【０００７】
この表裏反転装置においては、繰り出し手段によって紙葉類を主搬送経路から反転通路内に排出させ、反転通路内の紙葉類は一対の反転ローラで挟持されながら前進し続け、正転時の反転ローラによる所定の送り後、反転ローラが逆転し、繰り入れローラによって紙葉類は後退しながら主搬送経路内に戻されて、紙葉類の反転が完了する。そして、紙葉前進時において、反転通路内の紙葉類は、その幅に応じた送り量をもって前進し続けるが、様々な幅や様々な材質の紙葉類に対応させるため、本発明では、回動自在な叩きローラが採用される。この叩きローラは、反転通路内で紙葉類の繰り出し時における下流側に配置されると共に、反転ローラで挟まれた状態の紙葉類の端部を繰り出し時に叩くものである。よって、このような叩きローラで紙葉類の端部が叩かれると、紙葉類の端部を、反転通路におけるガイド板の壁面に寄せて、反転通路内でジャムや二つ折れが発生し難くしている。従って、このような叩きローラの採用は、紙葉類の幅に応じた適切な反転に寄与する。
【０００８】
また、反転通路を形成するガイド板と叩きローラとの間には、反転通路内の紙葉類の端部が挿通する逃がし隙間が設けられていると好適である。このような構成を採用すると、叩きローラによって紙葉類の端部が叩かれながら、逃がし隙間の中に紙葉類が入り込んで行くので、紙葉類をガイド板に沿わせながらスムーズに前進させ続けることができ、反転通路内でのジャムや二つ折れの発生を確実に防止する。
【０００９】
また、叩きローラは、放射状に配列した複数の叩き部を有すると好適である。叩きローラが叩き部をもつことで、紙葉類の端部を連続して叩くことができる。
【００１０】
【発明の実施の形態】
以下、図面を参照しつつ本発明に係る表裏反転装置の好適な実施形態について詳細に説明する。
【００１１】
図１に示すように、紙幣Ｒの表裏反転装置１は、２枚の側板１ａ，１ｂ間において、紙葉類（例えば、紙幣、有価証券又はカード類）の一例である紙幣Ｒが所定の速度で流動する主搬送経路Ｈを有している。また、互いに平行な側板１ａ，１ｂ間には、上下方向に延在して反転通路として利用される共通通路Ｓが設けられている。この共通通路Ｓは、主搬送経路Ｈ外の通路として設けられていると共に、所定の間隔をもって離間させるように配置されて、２枚の側板１ａ，１ｂとで両側を挟み込み固定された平板状の第１のガイド板３及び第２のガイド板４で形成されている。
【００１２】
そして、この共通通路（反転通路）Ｓの上下端は開放され、共通通路Ｓの下端には、反転予定の紙幣Ｒを搬送させるために下側で延在する第１の搬送通路６（主搬送経路Ｈの一部）の出口６ｂ側が連結され、共通通路Ｓの上端には、非反転予定の紙幣Ｒを搬送させるために上側で延在する第２の搬送通路７（主搬送経路Ｈの一部）の出口７ｂ側が連結されている。さらに、共通通路Ｓの下端には、第１の搬送通路６の延長上に位置する合流通路８（主搬送経路Ｈの一部）の入口８ａ側が連結されている。
【００１３】
この第１の搬送通路６及び合流通路８は、共通通路Ｓの下方で略水平方向に延在する上下の搬送ガイド板５と、上下の搬送ガイド板５間で延在してモータＭの駆動力によって一方向に回転する下側無端ベルト９とによって形成される。そして、共通通路Ｓの下部には繰り出し手段１０及び繰り入れ手段１１が配置されている。この繰り出し手段１０は、共通通路Ｓの下端側に位置して、紙幣Ｒの全体を第１の搬送通路６から共通通路Ｓ内に排出させ、繰り入れ手段１１は、共通通路Ｓの下端側に位置して、共通通路Ｓ内の紙幣Ｒを合流通路８内に導き入れるよう動作する。
【００１４】
例えば、この繰り出し手段１０は、第１のガイド板３と第２のガイド板４との間に位置すると共に、下側無端ベルト９が架け渡されて一方向に回動するセンタローラ１２と、このセンタローラ１２の紙葉類搬入側で下側無端ベルト９を介してセンタローラ１２に押し当てられた繰り出しローラ１３とで構成されている。これに対し、この繰り入れ手段１１は、前述したセンタローラ１２と、このセンタローラ１２の紙葉類搬出側で下側無端ベルト９を介してセンタローラ１２に押し当てられた繰り入れローラ１４と構成されている。そして、繰り出しローラ１３は、センタローラ１２を介して第１の搬送通路６の一部を構成し、繰り入れローラ１４は、センタローラ１２を介して合流通路８の一部を構成する。
【００１５】
さらに、紙幣Ｒの反転時において、共通通路（反転通路Ｓ）から合流通路８内に紙幣Ｒを確実に送り出すため、紙幣Ｒの下端は第１の叩きローラ１５により一方向に向けて叩かれる。この第１の叩きローラ１５は、センタローラ１２の回転軸１２ａに固定されて共通通路Ｓの下端に配置され、並設した複数個（例えば３個）のセンタローラ１２の間に位置する。よって、第１の叩きローラ１５は、センタローラ１２と同じ方向に回転し続けることになる。さらに、この叩きローラ１５の周面には、放射状に突出するブラシ形状又はフィン形状の叩き部１５ａが設けられている。この叩き部１５ａは、共通通路Ｓ内に臨むと共に、共通通路Ｓ内に繰り出された紙幣Ｒの下端を繰り出し手段１０側から繰り入れ手段１１側に向けて一方向に叩くように回転する。
【００１６】
よって、第１の搬送通路６の入口６ａから矢印Ａ方向に送り込まれた反転予定の紙幣Ｒは、センタローラ１２と繰り出しローラ１３との協働により、その全体が第１の搬送通路６から共通通路Ｓ内に排出される。その後、共通通路Ｓ内に繰り出された紙幣Ｒの下端は、第１の叩きローラ１５によって叩かれ、センタローラ１２と繰り入れローラ１４との協働により合流通路８に送り込まれる。
【００１７】
これに対し、非反転予定の紙幣Ｒを搬送させるための第２の搬送通路７は、共通通路Ｓの上方で略水平方向に延在する上下の搬送ガイド板１８と、上下の搬送ガイド板１８間で延在してモータＭの駆動力によって一方向に回転する上側無端ベルト１６とによって形成される。さらに、出口７ｂにおいては、共通通路Ｓ内に紙幣Ｒを確実に送り込むための上側送りローラ１９が配置され、上側無端ベルト１６に押し当てられた状態で矢印の方向に回転し続ける。よって、第２の搬送通路７の入口７ａから矢印Ｂ方向に送り込まれた非反転予定の紙幣Ｒは、上側無端ベルト１６、案内ローラ１７及び上側送りローラ１９の協働により、その全体が第２の搬送通路７から共通通路Ｓ内に排出される。その後、共通通路Ｓ内に送り込まれた紙幣Ｒの下端は、第１の叩きローラ１５によって叩かれながら、センタローラ１２と繰り入れローラ１４との協働により、紙幣Ｒは合流通路８に送り込まれ、出口８ｂから矢印Ｃ方向に排出されることで一連の非反転動作が完了する。
【００１８】
このように、表裏反転装置１は、反転予定の紙幣Ｒと非反転予定の紙幣Ｒとが通過する共通通路Ｓを有し、この共通通路Ｓは、二つの入口（第１及び第２の搬送通路６，７の出口）６ｂ，７ｂと一つの出口（合流通路８の入口）８ａを備えている。すなわち、共通通路Ｓの下端を第１の搬送通路６の出口６ｂ側に連通させ、共通通路Ｓの上端を第２の搬送通路７の出口７ｂ側に連通させ、共通通路Ｓの下端を合流通路８に連通させている。このように、共通通路Ｓの直後に合流通路８を設けることで、紙幣Ｒを次の処理工程に送り込むタイミングの遅延をもたらすことなく、その結果として、反転処理能力の向上が図られることになる。
【００１９】
さらに、この装置１には、共通通路（反転通路）Ｓ内における紙幣Ｒの高速搬送を可能にするための反転手段Ｐが設けられている。この反転手段Ｐは、第１のガイド板３側に配置した第１の反転ローラ２１と、第２のガイド板４側に配置した第２の反転ローラ２２とを有している。この第１の反転ローラ２１は、第１のガイド板３に形成したローラ窓（図示せず）から反転通路Ｓ内に覗き出るようにして、その一部を反転通路Ｓ内に臨ませる。同様に、第２の反転ローラ２２は、第１の反転ローラ２１に対向すると共に、第２のガイド板４に形成したローラ窓（図示せず）から反転通路Ｓ内に覗き出るようにして、その一部を反転通路Ｓ内に臨ませている。そして、紙幣Ｒを確実に挟み込んで搬送させるために、第１の反転ローラ２１と第２の反転ローラ２２とは、反転通路Ｓ内で互いに所定の圧力をもって押し当てられている。
【００２０】
また、図２に示すように、第１の反転ローラ２１は、水平に延在する第１の回転軸２１ａに固定され、この回転軸２１ａは、側板１ａと側板１ｂとに軸受を介して軸支されている。そして、第１の回転軸２１ａの端部には、側板１ｂの外方に位置する第１の電磁クラッチ２３が取り付けられ、この第１の電磁クラッチ２３は、装置１の制御部（図示せず）からの制御信号に基づいてオン・オフ制御がなされる。なお、第１の電磁クラッチ２３の筐体には、連れ回りを防止するために、側板１ｂに立設させた係止ピン（図示せず）に対して掛け止めされる回り止め用のフック部２６が設けられている。
【００２１】
同様に、第２の反転ローラ２２は、水平に延在する第２の回転軸２２ａに固定され、この回転軸２２ａは、側板１ａと側板１ｂとに軸受を介して軸支されている。さらに、第２の回転軸２２ａの端部には、側板１ｂの外方に位置する第２の電磁クラッチ２７が取り付けられ、この第２の電磁クラッチ２７は、装置１の制御部（図示せず）からの制御信号に基づいてオン・オフ制御がなされる。なお、第２の電磁クラッチ２７の筐体には、連れ回りを防止するため、側板１ｂに立設させた係止ピン（図示せず）に対して掛け止めされる回り止め用のフック部２９が設けられている。
【００２２】
さらに、第１の回転軸２１ａには、第１の電磁クラッチ２３を介して第１の回転軸２１ａに連結した第１のプーリ３１が配置されている。そして、この第１のプーリ３１は、第１の電磁クラッチ２３がオン状態のときに第１の回転軸２１ａに連結されると共に、常に一方向（矢印Ｄ方向）に回転し続ける。当然に、第１の電磁クラッチ２３がオフ状態のとき、第１のプーリ３１と第１の回転軸２１ａとの連結は解除されている。
【００２３】
同様に、第２の回転軸２２ａには、第２の電磁クラッチ２７を介して第２の回転軸２２ａに連結した第２のプーリ３２が配置されている。そして、この第２のプーリ３２は、第２の電磁クラッチ２７がオン状態のときに第２の回転軸２２ａに連結されると共に、常に一方向（矢印Ｅ方向）に回転し続ける。当然に、第２の電磁クラッチ２７がオフ状態のとき、第２のプーリ３２と第２の回転軸２２ａとの連結は解除されている。
【００２４】
さらに、第１のプーリ３１と第２のプーリ３２とを同一方向に常時回転させるため、第３の側板１ｃには、ブラケットを介して一方向回転型のモータ３０が固定されている。このモータ３０の駆動軸３０ａには駆動プーリ３４が固定され、この駆動プーリ３４と第１のプーリ３１とは第１のタイミングベルト３６を介して連結されている。また、第２の側板１ｂと第３の側板１ｃとの間に中間プーリ３５が配置され、駆動プーリ３４と中間プーリ３５とは第２のタイミングベルト３７を介して連結され、この中間プーリ３５と第２のプーリ３２とは第３のタイミングベルト３８を介して連結される。このような中間プーリ３５は、ベルト架けによって回転軸２２ａに加わる負荷を低減させるためのもので、第２のプーリ３２を側板１ｂに近づけることができる。従って、前述した構成により、一個のモータ３０で各プーリ３１，３２を同一方向に常時回転させることができる。しかも、極めて簡単な構成をもって各反転ローラ２１，２２の駆動が実現される。
【００２５】
さらに、第２の駆動軸２２ａには、装置１の制御部（図示せず）からの制御信号に基づいてオン・オフ制御が可能な電磁ブレーキ４０が装着され、この電磁ブレーキ４０は、ブラケット４１を介して第１の側板１ａに取り付けられている。電磁ブレーキ４０のブレーキ制御にあたって、電磁ブレーキ４０がオン状態になった瞬間、第２の回転軸２２ａの回転は強制的に停止させられ、電磁ブレーキ４０がオフ状態では、電磁ブレーキ４０に影響されることなく、第２の回転軸２２ａは回転し続ける。
【００２６】
ここで、第１の反転ローラ２１と第２の反転ローラ２２とを正確に連動させることが必要になる。そこで、第１の回転軸２１ａの端部に固定した第１の連結ギア４２と、第２の回転軸２２ａの端部に固定した第２の連結ギア４３とを噛合させる。これによって、電磁ブレーキ４０を第２の回転軸２２ａ側に取り付けるだけで、第１の回転軸２１ａと第２の回転軸２２ａとを同期して停止させることができる。
【００２７】
なお、図１に示すように、第１の搬送通路６及び第２の搬送通路７には、フォトセンサからなる幅検出センサＦ１，Ｆ２が配置され、この幅検出センサＦ１，Ｆ２による検知時間と紙葉搬送速度との相関関係によって、紙幣Ｒの幅（流動方向における長さ）が検知される。また、反転通路Ｓの途中には、反転ローラ２１，２２に対応する位置に到来センサＦ３が配置されている。この到来センサＦ３はフォトセンサで構成され、紙幣Ｒが横切ることで出力信号を送出するが、この出力信号は、電磁ブレーキ４０をオン状態にするための信号が制御部から送出されるタイミングの基準になっている。
【００２８】
このように、反転ローラ２１，２２毎に電磁クラッチ２３，２７を設けることで、反転時における紙幣Ｒの反転制御が容易に達成される。しかも、この反転制御にあたり、電磁ブレーキ４０を積極的に採用することで、到来センサＦ３により紙幣Ｒの到来を検知した後、所定のタイミングで正確に反転ローラ２１，２２を強制停止させることができるので、反転ローラ２１，２２で挟まれた状態で反転通路Ｓ内を流動する紙幣Ｒを、任意の位置で正確に一旦停止させることができる。また、反転ローラ２１，２２で挟まれた状態で反転通路Ｓ内を流動する紙幣Ｒを、任意の時間だけ正確に一旦停止させることも可能となる。よって、合流通路８から連続して送り出される紙幣Ｒの先頭間隔を常に一定に保つような制御が容易となる。なお、この装置１では、合流通路８内で、反転後の紙幣Ｒと非反転後の紙幣Ｒとが混在して流動することになり、非反転の紙幣Ｒが合流通路８から排出される場合でも、先頭間隔を常に一定に保つように電磁ブレーキ４０の制御がなされる。
【００２９】
ここで、共通通路（反転通路）Ｓ内での紙幣反転時において、共通通路Ｓ内の紙幣Ｒは、反転ローラ２１，２２により、その幅に応じた送り量をもって前進（上昇）し続けるが、様々な幅や様々な材質の紙幣Ｒに対応させて、確実な反転を達成する必要がある。そこで、図１及び図３に示すように、共通通路Ｓの上端に第２の叩きローラ５０が配置され、この叩きローラ５０は、上側送りローラ１９の回転軸１９ａに固定され、並設した複数個（例えば３個）の上側送りローラ１９の間に配置される。よって、第２の叩きローラ５０は、上側送りローラ１９と同じ方向に回転し続ける。そして、第２の叩きローラ５０には、連続した紙幣叩きを可能にするために、放射状に配列した複数の叩き部５０ａが設けられている。この叩き部５０ａは、ブラシ形状又はフィン形状のいずれであってもよい。
【００３０】
この第２の叩きローラ５０は、共通通路Ｓ内で紙幣Ｒの繰り出し時における下流側（共通通路Ｓの上端側）に配置されると共に、反転ローラ２１，２２で挟まれた状態の紙幣Ｒの上端部を二点鎖線で示すように叩く。そして、第２の叩きローラ５０で紙幣Ｒの上端部が叩かれると、紙幣Ｒの上端部は、矢印Ｙ方向に移動しながら、第２のガイド板４の壁面に寄せられる。
【００３１】
このとき、図３に示すように、第２のガイド板４と第２の叩きローラ５０との間には、共通通路Ｓ内の紙幣Ｒの端部が挿通する逃がし隙間Ｇが設けられている。この逃がし隙間Ｇは、最低紙幣Ｒの厚みは必要であるが、多種多様な紙幣Ｒを配慮して、１ｍｍ程度が適切である。このような逃がし隙間Ｇを採用すると、第２の叩きローラ５０に叩き部５０ａによって紙幣Ｒの上端部が叩かれながら、逃がし隙間Ｇの中に紙幣Ｒが滑り込んで行くので、紙幣Ｒを第２のガイド板４の壁面に沿わせながらスムーズに前進（上昇）させ続けることができ、共通通路Ｓ内でのジャムや二つ折れの発生が確実に防止される。
【００３２】
次に、前述した表裏反転装置１の構成に基づく動作について説明をする。
【００３３】
先ず、図１に示すように、第１の搬送通路６の入口６ａから矢印Ａ方向に送り込まれた反転予定の紙幣Ｒは、センタローラ１２と繰り出しローラ１３との協働により、第１の搬送通路６から共通通路Ｓ内に排出される。そして、第１の搬送通路６から共通通路Ｓ内に紙幣Ｒを繰り入れる際、第１の電磁クラッチ２３はオン状態に制御され、第２の電磁クラッチ２７はオフ状態に制御される。その結果、第１の回転軸２１ａに取り付けられた第１の反転ローラ２１は、矢印Ｔ方向（図２参照）に駆動回転を維持する。一方、第２の反転ローラ２２は、第２の電磁クラッチ２７が切れた状態になっているので、第１の反転ローラ２１に追従して回転する。よって、第１の反転ローラ２１が所定時間回転することで、紙幣Ｒは、第１及び第２の反転ローラ２１，２２によって所定の送り量だけ共通通路Ｓ内で上昇する。
【００３４】
このとき、図４に示すように、紙幣Ｒの端部が第２の叩きローラ５０の叩き部５０ａに向けて前進し、紙幣Ｒが叩き部５０ａに当たった瞬間、一方向に回転し続ける第２の叩きローラ５０によって紙幣Ｒの上端部が一方向に叩かれる。そして、図３及び図５に示すように、紙幣Ｒの上端部は、矢印Ｙ方向に移動しながら、第２のガイド板４の壁面に寄せられ、紙幣Ｒの上端部は、第２の叩きローラ５０に叩き部５０ａによって叩かれながら、逃がし隙間Ｇの中に滑り込んで行く。
【００３５】
そして、紙幣Ｒの搬送揃えを達成させるため、到来センサＦ３の検知とタイマとの制御に基づいて、電磁ブレーキ４０をオン状態にし、強制的に反転ローラ２１，２２の回転を停止させる。次の瞬間、第１及び第２の電磁クラッチ２３，２７の両方がオフ状態になるように制御する。その後、共通通路Ｓから主搬送経路に向けて紙幣Ｒを繰り出す際、第１の電磁クラッチ２３はオフ状態に切り替え制御され、第２の電磁クラッチ２７はオン状態に切り替え制御される。
【００３６】
その結果、図６に示すように、第２の回転軸２２ａに取り付けられた第２の反転ローラ２２は、矢印Ｗ方向に駆動回転する。一方、第１の反転ローラ２１は、第１の電磁クラッチ２３が切れた状態（オフ状態）になっているので、第２の反転ローラ２２に追従して回転する。よって、第１の叩きローラ１５、センタローラ１２及び繰り入れローラ１４の協働により、紙幣Ｒは、合流通路８内に送り込まれ、紙幣Ｒが矢印Ｃ方向に排出されることで、一連の反転動作が完了する。
【００３７】
これに対し、第２の搬送通路７の入口７ａから矢印Ｂ方向に送り込まれた非反転予定の紙幣Ｒの表面は、第２の叩きローラ５０の叩き部５０ａによって叩かれながら、第２の搬送通路７から共通通路Ｓ内に排出される。そして、第２の搬送通路７から共通通路Ｓ内に紙幣Ｒを排出する際、第１の電磁クラッチ２３はオフ状態に制御され、第２の電磁クラッチ２７はオン状態に制御される。その結果、第２の回転軸２２ａに取り付けられた第２の反転ローラ２２は、矢印Ｗ方向に駆動回転する。一方、第１の反転ローラ２１は、第１の電磁クラッチ２３が切れた状態になっているので、第２の反転ローラ２２に追従して回転する。
【００３８】
そして、第２の反転ローラ２２が所定時間回転し、センタローラ１２と繰り入れローラ１４との協働により、紙幣Ｒは、非反転状態で合流通路８に送り込まれ、出口８ｂから矢印Ｃ方向に排出される。このように、紙幣Ｒを反転ローラ２１，２２で挟持しながら送ることができるので、共通通路Ｓ内において、紙幣Ｒを高速でかつ確実に搬送させることができ、紙幣Ｒの高速処理が達成される。
【００３９】
本発明は、前述した実施形態に限定されるものではない。例えば、図示しない表裏反転装置では、共通通路（反転通路）Ｓの一端（下端）に連結させて、反転予定の紙幣Ｒ及び非反転予定の紙幣Ｒが通る第４の搬送通路と、共通通路Ｓの一端（下端）に連結させて、第４搬送通路から共通通路Ｓ内に導入された反転予定の紙幣Ｒが反転された後に搬送される第５の搬送通路と、共通通路Ｓの他端（上端）に連結させて、第４搬送通路から共通通路Ｓ内に導入された非反転予定の紙幣Ｒが反転されることなく搬送される第６の搬送通路とを有している。よって、この共通通路Ｓは、一つの入口と二つの出口を備えることになる。このような主搬送経路をもった表裏反転装置において、前述した第２の叩きローラ５０を採用してもよい。
【００４０】
また、共通通路（反転通路）Ｓ内において、第２の叩きローラ５０は、紙幣Ｒの繰り出し時における下流側に配置されると共に、反転ローラ２１，２２で挟まれた状態の紙幣Ｒの端部を繰り出し時に叩く位置に配置されていればよく、叩きローラ５０の位置は、共通通路（反転通路）Ｓにおいて上端か下端か左側か右側かに限定されるものではない。
【００４１】
【発明の効果】
本発明による表裏反転装置は、以上のように構成されているため、次のような効果を得る。すなわち、主搬送経路上を流動する紙葉類の表裏を反転させるための表裏反転装置において、主搬送経路の途中で、紙葉類の全体を主搬送経路外に排出させる繰り出し手段と、主搬送経路外に一旦排出させた紙葉類を主搬送経路内に再度引き込む繰り入れ手段と、繰り出し手段から繰り出された紙葉類を案内するガイド板を有する反転通路と、反転通路内に臨むと共に、協働して紙葉類を挟み込む正逆転可能な第１及び第２の反転ローラと、反転通路内で紙葉類の繰り出し時における下流側に配置されると共に、反転ローラで挟まれた状態の紙葉類の端部を繰り出し時に叩く回転自在な叩きローラとを備えたことにより、紙葉類の幅に応じた確実な反転を可能にする。
【図面の簡単な説明】
【図１】本発明に係る表裏反転装置の一実施形態を示す断面図である。
【図２】反転手段の一例を示す斜視図である。
【図３】図１に示した表裏反転装置の要部拡大断面図である。
【図４】紙幣反転時において、叩きローラに向けて紙幣が前進した状態を示す断面図である。
【図５】紙幣の端部が叩きローラによって叩かれながら逃がし隙間内に滑り込んだ状態を示す断面図である。
【図６】紙幣を反転通路から排出させる途中の状態を示す断面図である。
【符号の説明】
１…表裏反転装置、４…ガイド板（第２のガイド板）、１０…繰り出し手段、１１…繰り入れ手段、２１…第１の反転ローラ、２２…第２の反転ローラ、５０…叩きローラ（第２の叩きローラ）、５０ａ…叩き部、Ｇ…逃がし隙間、Ｈ…主搬送経路、Ｒ…紙幣（紙葉類）、Ｓ…共通通路（反転通路）。
【図１】
2004269156.tif 000003
【図２】
2004269156.tif 000004
【図３】
2004269156.tif 000005
【図４】
2004269156.tif 000006
【図５】
2004269156.tif 000007
【図６】
2004269156.tif 000008